(57)【要約】【課題】  ねじ込み後の脱落を防止したネジ釘の提供。【解決手段】  シャンクの外周に螺旋状に配置されたネジ山を具え、ネジ釘のネジ山方向に複数の連続或いは不連続の漸高式切れ刃を具え、該漸高式切れ刃は少なくとも一つの進端と少なくとも出端を具え、該漸高式切れ刃の進端が該ネジ釘のネジ山の高さよりも低く、その高度が漸次出端に向けて高くなり、漸高式切れ刃の出端が該ネジ釘のネジ山の高さに等しく、二つの漸高式切れ刃の間にあって、前の切れ刃の出端が後の切れ刃の進端より高く形成されている。【選択図】        図５
2005127487.tif 000002
【特許請求の範囲】
【請求項１】
シャンクの外周に螺旋状に形成されたネジ山を具え、ネジ釘のネジ山方向に複数の連続或いは不連続の漸高式切れ刃を具え、該漸高式切れ刃は少なくとも一つの進端と少なくとも出端を具え、該漸高式切れ刃の進端が該ネジ釘のネジ山の高さよりも低く、その高度が漸次出端に向けて高くなり、漸高式切れ刃の出端が該ネジ釘のネジ山の高さに等しく、二つの漸高式切れ刃の間にあって、前の切れ刃の出端が後の切れ刃の進端より高く形成されたことを特徴とする、ネジ釘。
【請求項２】
請求項１記載のネジ釘において、ネジ山方向の漸高式切れ刃に歯状物が形成されたことを特徴とする、ネジ釘。
【請求項３】
請求項２記載のネジ釘において、漸高式切れ刃に形成された歯状物がネジ山と略垂直を呈するか或いは適当な角度を呈する尖状ラチェット歯とされたことを特徴とする、ネジ釘。
【請求項４】
請求項２記載のネジ釘において、漸高式切れ刃に形成された歯状物がネジ山と略垂直を呈するか或いは適当な角度を呈する反尖状ラチェット歯とされたことを特徴とする、ネジ釘。
【請求項５】
請求項２記載のネジ釘において、漸高式切れ刃に形成された歯状物がネジ山と略垂直を呈するか或いは適当な角度を呈する三角尖状歯とされたことを特徴とする、ネジ釘。
【請求項６】
請求項２記載のネジ釘において、漸高式切れ刃に形成された歯状物が漸高式切れ刃の全部に設立されるか或いは一部に設立されたことを特徴とする、ネジ釘。
【発明の詳細な説明】
【技術分野】
【０００１】
本発明は一種のネジ釘の技術領域に属し、特にネジ釘のネジ山に複数の漸高式切れ刃を設けたネジ釘に関する。
【背景技術】
【０００２】
周知のネジ釘の大半はシャンクに簡単な連続状のネジ山が設けられただけであり（図１６）、このようなネジ釘を木材或いはプラスチック類の物品にねじ込む時、物品の質が比較的硬く、且つ比較的長いネジ釘が必要である時、使用者は非常に大きな力を費やさねばネジをねじ込むことができず、ねじ込みが難しかったり、或いはネジ釘が物品中に引っ掛かり、無理に力を入れてドライバーを回してネジ頭の溝を破壊してしまい進退のいずれも難しくなる場合があり、このような場合にもし強引にネジを回すとネジが切断されて作業進度に影響が生じ、並びに物品を損壊することがある。さらに、周知のネジ釘のネジ山は連続状の切り口とされ、このためねじ込み後に、振動環境下でゆるみ、脱落を発生しやすい。
【発明の開示】
【発明が解決しようとする課題】
【０００３】
本発明の主要な目的は、一種のネジ釘を提供することにあり、それは、ネジ釘を物品にねじ込む時、ネジ山に設けた複数の漸高式切れ刃の進端により木の繊維或いは堅硬なガラス繊維物品を切開し並びにねじ立てし、ネジ釘を容易に物品にねじ込むことができ、物品の繊維を切開し、硬い物品に亀裂を発生させず、また、漸高式切れ刃の出端構造の設計により、ネジ釘ねじ込み後にゆるみと脱落を防止する効果を具備するようにしたネジ釘であるものとする。
【０００４】
本発明によると、ネジ釘は、シャンクの外周に螺旋状に配置されたネジ山を具え、ネジ釘のネジ山方向に複数の連続或いは不連続の漸高式切れ刃を具え、該漸高式切れ刃は少なくとも一つの進端と少なくとも出端を具え、該漸高式切れ刃の進端が該ネジ釘のネジ山の高さよりも低く、その高度が漸次出端に向けて高くなり、漸高式切れ刃の出端が該ネジ釘のネジ山の高さに等しく、二つの漸高式切れ刃の間にあって、前の切れ刃の出端が後の切れ刃の進端より高く形成されている。
【課題を解決するための手段】
【０００５】
請求項１の発明は、シャンクの外周に螺旋状に形成されたネジ山を具え、ネジ釘のネジ山方向に複数の連続或いは不連続の漸高式切れ刃を具え、該漸高式切れ刃は少なくとも一つの進端と少なくとも出端を具え、該漸高式切れ刃の進端が該ネジ釘のネジ山の高さよりも低く、その高度が漸次出端に向けて高くなり、漸高式切れ刃の出端が該ネジ釘のネジ山の高さに等しく、二つの漸高式切れ刃の間にあって、前の切れ刃の出端が後の切れ刃の進端より高く形成されたことを特徴とする、ネジ釘としている。
請求項２の発明は、請求項１記載のネジ釘において、ネジ山方向の漸高式切れ刃に歯状物が形成されたことを特徴とする、ネジ釘としている。
請求項３の発明は、請求項２記載のネジ釘において、漸高式切れ刃に形成された歯状物がネジ山と略垂直を呈するか或いは適当な角度を呈する尖状ラチェット歯とされたことを特徴とする、ネジ釘としている。
請求項４の発明は、請求項２記載のネジ釘において、漸高式切れ刃に形成された歯状物がネジ山と略垂直を呈するか或いは適当な角度を呈する反尖状ラチェット歯とされたことを特徴とする、ネジ釘としている。
請求項５の発明は、請求項２記載のネジ釘において、漸高式切れ刃に形成された歯状物がネジ山と略垂直を呈するか或いは適当な角度を呈する三角尖状歯とされたことを特徴とする、ネジ釘としている。
請求項６の発明は、請求項２記載のネジ釘において、漸高式切れ刃に形成された歯状物が漸高式切れ刃の全部に設立されるか或いは一部に設立されたことを特徴とする、ネジ釘としている。
【発明の効果】
【０００６】
本発明のネジ釘は、その新規な構造により、ネジ釘を物品にねじ込む時、ネジ山に設けた複数の漸高式切れ刃の進端により物品繊維を切開し並びにねじ立てし、ネジ釘を物品にねじ込みやすく、また漸高式切れ刃の出端構造の設計により、ネジ釘ねじ込み後にゆるみと脱落を防止する効果を有する。
【０００７】
ゆえに本発明は従来の技術の欠点と不便を有効に解決し、並びに上述の機能と実用価値を達成し、新規性、進歩性及び産業上の利用価値を有している。
【発明を実施するための最良の形態】
【０００８】
図１から図３に示されるように、本発明のネジ釘は、シャンク１の外周に螺旋状に設けられたネジ山１１を具え、該シャンク１のネジ山１１方向に複数の連続或いは不連続の漸高式切れ刃２が形成されている。
【０００９】
該漸高式切れ刃２は少なくとも一つの進端２１と少なくとも出端２２を具え、該漸高式切れ刃２の進端２１が該シャフト１のネジ山１１の高さ（図１中の点線で示される想像線４を参照されたい）よりも低く、その高度が漸次出端２２に向けて高くなり、漸高式切れ刃２の出端２２が該シャフト１のネジ山１１の高さに等しく、二つの漸高式切れ刃２及び２’の間にあって、前の切れ刃２の出端２２が後の切れ刃２’の進端２１’より高く形成されている。
【００１０】
図４から図１５に示されるように、本発明は実際には漸高式切れ刃２（２’）のネジ山１１に複数の歯状物３を形成したものとされうる。該漸高式切れ刃２に形成された歯状物３は漸高式切れ刃２の全部に設立されるか一部に設立される。
【００１１】
本発明の歯状物３には、以下の数種類の実施例がある。
第１実施例：  漸高式切れ刃２（２’）のネジ山１１の歯状物３はネジ山１１とほぼ垂直或いは適当な角度を有する尖状ラチェット歯３１（図４〜図６、図１０〜図１２）とされる。
【００１２】
第２実施例：  漸高式切れ刃２（２’）のネジ山１１の歯状物３はネジ山１１とほぼ垂直とされるか或いは適当な角度を有する半尖状ラチェット歯３２（図７〜図９）とされる。
【００１３】
第３実施例：  漸高式切れ刃２（２’）のネジ山１１の歯状物３はネジ山１１とほぼ垂直とされるか或いは三角尖状歯３３（図１３〜図１５）とされる。
【００１４】
当然、本発明のその他の歯状物３形状を形成しうる造形は、いずれも本発明の請求範囲に属する。
【図面の簡単な説明】
【００１５】
【図１】本発明の実施例のネジ釘の断面図である。
【図２】本発明の実施例のネジ釘の立体図である。
【図３】本発明の実施例のネジ釘のネジ山の平面展開図である。
【図４】本発明のネジ釘に形成された歯状物の第１実施例の断面図である。
【図５】本発明のネジ釘に形成された歯状物の第１実施例の立体図である。
【図６】本発明のネジ釘に形成された歯状物の第１実施例の平面展開図である。
【図７】本発明のネジ釘に形成された歯状物の第２実施例の断面図である。
【図８】本発明のネジ釘に形成された歯状物の第２実施例の立体図である。
【図９】本発明のネジ釘に形成された歯状物の第２実施例の平面展開図である。
【図１０】本発明のネジ釘に形成された歯状物の第３実施例の断面図である。
【図１１】本発明のネジ釘に形成された歯状物の第３実施例の立体図である。
【図１２】本発明のネジ釘に形成された歯状物の第３実施例の平面展開図である。
【図１３】本発明のネジ釘に形成された歯状物の第４実施例の断面図である。
【図１４】本発明のネジ釘に形成された歯状物の第４実施例の立体図である。
【図１５】本発明のネジ釘に形成された歯状物の第４実施例の平面展開図である。
【図１６】周知のネジ釘の立体図である。
【符号の説明】
【００１６】
１  シャンク
１１  ネジ山
２、２’  漸高式切れ刃
２１  進端
２２  出端
３  歯状物
３１  尖状ラチェット歯
３２  半尖状ラチェット歯
３３  三角尖状歯
４  想像線
【図１】
2005127487.tif 000003
【図２】
2005127487.tif 000004
【図３】
2005127487.tif 000005
【図４】
2005127487.tif 000006
【図５】
2005127487.tif 000007
【図６】
2005127487.tif 000008
【図７】
2005127487.tif 000009
【図８】
2005127487.tif 000010
【図９】
2005127487.tif 000011
【図１０】
2005127487.tif 000012
【図１１】
2005127487.tif 000013
【図１２】
2005127487.tif 000014
【図１３】
2005127487.tif 000015
【図１４】
2005127487.tif 000016
【図１５】
2005127487.tif 000017
【図１６】
2005127487.tif 000018